(57)【要約】【課題】廊下灯情報表示部に患者の各種情報を適宜表示させる。【解決手段】病室のベッド毎に設置され、呼出機能、通話機能を有するナースコール子機６と、ナースステーション毎に設置され、呼出報知機能、通話機能、呼出機能、親機情報表示部２２を備えた情報表示機能を有するナースコール親機２と、病室毎に廊下に設置されナースコール子機の呼出しに応じて呼出表示灯５１を点灯・点滅する呼出報知機能を有する廊下灯５と、ナースコール親機および廊下灯を制御する呼出・通話制御部３１と、ナースコール親機に表示するための患者情報および看護情報を記憶する記憶装置４と、患者・看護情報などが編集可能に予め記憶され、患者・看護情報などを記憶装置に送信するオーダリングシステム１とを備え、廊下灯は、当該病室に入院している患者に関する患者・看護情報などを記憶装置から読み出して、表示するための廊下灯情報表示部５２を有する。【選択図】図１
2004104691.tif 000002
【特許請求の範囲】
【請求項１】
病室のベッド毎に設置され患者が看護師を呼出すための呼出機能、呼出しに応答した看護師と通話するための通話機能を有するナースコール子機（６）と、ナースステーション毎に設置され前記ナースコール子機からの呼出しを報知する呼出報知機能、呼出した患者と通話するための通話機能、患者を呼出すための呼出機能、親機情報表示部（２２）を備えた情報表示機能を有するナースコール親機（２）と、前記病室毎に廊下に設置され前記ナースコール子機の呼出しに応じて呼出表示灯（５１）を点灯・点滅する呼出報知機能を有する廊下灯（５）と、前記ナースコール親機および前記廊下灯を制御する呼出・通話制御部（３１）と、前記ナースコール親機に表示するための患者名、ベッド番号等の患者情報および担送・護送の救護区分等の看護情報を記憶する記憶装置（４）と、前記患者情報又は、前記患者情報並びに前記看護情報が編集可能に予め記憶され、前記患者情報又は、前記患者情報並びに前記看護情報を前記記憶装置に送信するオーダリングシステム（１）とを備え、
前記廊下灯は、当該病室に入院している患者に関する前記患者情報又は、前記患者情報並びに前記看護情報を前記記憶装置から読み出して、表示するための廊下灯情報表示部（５２）を有することを特徴とするナースコール装置。
【請求項２】
前記廊下灯は、前記ナースコール子機からの呼出がなされたとき、前記ナースコール子機から呼出しを行なった患者に関する前記患者情報又は、前記患者情報並びに前記看護情報を前記記憶装置から読み出して、前記呼出表示灯の点灯・点滅と同時に表示するための廊下灯情報表示部（５２）を有することを特徴とする請求項１記載のナースコール装置。
【請求項３】
前記廊下灯は、前記廊下灯情報表示部を駆動するための人体センサ（５３）を備えていることを特徴とする請求項１又は請求項２記載のナースコール装置。
【請求項４】
前記廊下灯は、前記廊下灯情報表示部に表示される前記患者情報又は、前記患者情報並びに前記看護情報に関する画面に切り替えるための切替ボタン（５４）を備えていることを特徴とする請求項１乃至請求項３何れか１項記載のナースコール装置。
【請求項５】
前記廊下灯の廊下灯情報表示部は、タッチパネル（５６）により構成され、タッチパネルの操作によって、廊下灯情報表示部のバックライトを点灯させるとともに、必要な前記患者情報又は、前記患者情報並びに前記看護情報を読み出すことが可能であることを特徴とする請求項１乃至請求項４何れか１項記載のナースコール装置。
【請求項６】
前記廊下灯は、バックライト点灯時から所定時間経過するとバックライトを消灯させるためのタイマ（ＴＩ）を有していることを特徴とする請求項５記載のナースコール装置。
【請求項７】
前記廊下灯は、呼出状態を復旧するための復旧ボタン（５５）を備えていることを特徴とする請求項１乃至請求項６何れか１項記載のナースコール装置。
【請求項８】
前記廊下灯は、各廊下灯を特定するための廊下灯ＩＤを設定するための設定スイッチ（５７）を有していることを特徴とする請求項１乃至請求項７何れか１項記載のナースコール装置。
【請求項９】
前記廊下灯は、モニタボタン（６５）の操作により病室内の様子をモニターするためのスピーカ（５８）を有することを特徴とする請求項１乃至請求項８何れか１項記載のナースコール装置。
【請求項１０】
前記廊下灯は、前記ナースコール親機からの放送又は前記ナースコール親機又は前記ナースコール子機と通話するためのマイク（５９）およびスピーカ（５８）を有していることを特徴とする請求項１乃至請求項９何れか１項記載のナースコール装置。
【請求項１１】
前記廊下灯は、前記ナースコール親機を呼び出す呼出ボタン（６９）を有していることを特徴とする請求項１乃至請求項１０何れか１項記載のナースコール装置。
【請求項１２】
前記病室には、少なくとも一台のカメラ（７１）を設け、
前記廊下灯は、前記ナースコール子機からの呼出時又はモニタボタン（６５）の操作により前記カメラからの映像を前記廊下灯情報表示部に表示させることを特徴とする請求項１乃至請求項１１何れか１項記載のナースコール装置。
【請求項１３】
前記廊下灯には、廊下を監視し、看護師又は見舞い人を撮像するカメラ（６６）を備え、前記ナースコール親機の親機情報表示部又は患者のベッド毎に設けられた患者情報表示装置（７）で表示すること特徴とする請求項１乃至請求項１２何れか１項記載のナースコール装置。
【請求項１４】
前記廊下灯は、前記廊下灯情報表示部に表示させる画像情報を追加・変更するためのメモリカードを挿入可能であることを特徴とする請求項１乃至請求項１３何れか１項記載のナースコール装置。
【請求項１５】
前記廊下灯は、前記廊下灯を動作させるためのプログラムを追加・変更するためのメモリカードを挿入可能であることを特徴とする請求項１乃至請求項１４何れか１項記載のナースコール装置。
【請求項１６】
前記廊下灯は、前記患者が所持する送信機（１０）から送信される前記患者の所在地を特定するための信号を受信するための受信アンテナ（６７）を有することを特徴とする請求項１乃至請求項１５何れか１項記載のナースコール装置。
【請求項１７】
前記ナースコール親機、前記廊下灯情報表示部は、前記廊下灯情報表示部を駆動する情報表示部制御部（３２）にそれぞれ接続され、
前記情報表示部制御機は、前記廊下灯情報表示部に表示させる前記患者情報又は、前記患者情報並びに前記看護情報を強調してポップアップ表示するためのポップアップ表示制御部（２４ａ）と、前記廊下灯情報表示部に表示させる前記患者情報又は、前記患者情報並びに前記看護情報をベッドのレイアウトどおりに表示するためのレイアウト制御部（２４ｂ）と、待受時に待受画面として表示する画像を表示・変更するための待受画面制御部（２４ｃ）と、前記廊下灯情報表示部に前記看護情報のうち担送・護送等の救護区分を識別可能に表示するための担送・護送表示制御部（２４ｄ）と、前記廊下灯情報表示部に前記患者情報のうち性別を識別可能に表示するための性別表示制御部（２４ｅ）と、前記廊下灯情報表示部に前記看護情報のうち感染症を識別可能に表示するための感染症表示制御部（２４ｆ）と、前記廊下灯情報表示部に前記看護情報のうち診療科目を識別可能に表示するための診療科目表示制御部（２４ｇ）と、前記廊下灯情報表示部に前記看護情報のうち担当医を識別可能に表示するための担当医表示制御部（２４ｈ）と、前記ナースコール子機に通常呼出とともにトイレ介助呼出、点滴コール呼出、緊急呼出の各信号を送出する呼出部が設けられた場合に前記廊下灯情報表示部に各呼出を識別可能に表示するための呼出種別表示制御部（２４ｉ）と、前記ナースコール親機で患者ごとに看護師のチームが設定された場合に前記廊下灯情報表示部にチーム情報を識別可能に表示するためのチーム表示制御部（２４ｊ）と、前記記憶装置から得られる病院内の喫茶店、売店等からの広告情報を前記廊下灯情報表示部に表示するための広告情報表示制御部（２４ｋ）と、前記患者からの呼出を順次、呼出履歴として記憶させ、前記廊下灯情報表示部に前記呼出履歴を表示するための呼出履歴表示制御部（２４ｌ）と、前記廊下灯情報表示部に前記看護情報のうち検査日、投薬内容、医師の指示等の看護計画を表示するための看護計画表示制御部（２４ｍ）と、前記廊下灯に点滴装置が接続されている場合に前記廊下灯情報表示部に点滴装置から送信される点滴残量情報を表示するための点滴残量表示制御部（２４ｎ）と、送信機（１０）から送信される前記患者の所在地を特定するための信号を受信アンテナ（６７）で受信した場合に前記廊下灯情報表示部に前記患者の所在地を特定する表示をするための患者所在地表示制御部（２４ｏ）と、前記廊下灯情報表示部に患者が在・不在・外泊のいずれかであることを表示するための在・不在・外泊表示制御部（２４ｐ）と、前記廊下灯情報表示部に保守の目安となるバックライトの残り寿命を表示させるためのバックライト寿命表示制御部（２４ｑ）と、前記ナースコール親機の操作によって前記廊下灯情報表示部の明るさを調整するための明るさ調整制御部（２４ｒ）と、プライバシーを保護するために、所定の特殊操作をした場合のみ前記廊下灯情報表示部に前記患者情報又は、前記患者情報並びに前記看護情報を表示させるための特殊操作制御部（２４ｓ）と、火災が発生したときなどの緊急時において前記廊下灯情報表示部に患者情報、担送・護送等の看護情報を表示させるための緊急時表示制御部（２４ｔ）とのうち少なくとも一つを有することを特徴とする請求項１乃至請求項１６何れか１項記載のナースコール装置。
【請求項１８】
前記廊下灯は、前記廊下灯情報表示部に表示させる前記患者情報又は、前記患者情報並びに前記看護情報を強調してポップアップ表示するためのポップアップ表示制御部（２４ａ）と、前記廊下灯情報表示部に表示させる前記患者情報又は、前記患者情報並びに前記看護情報をベッドのレイアウトどおりに表示するためのレイアウト制御部（２４ｂ）と、待受時に待受画面として表示する画像を表示・変更するための待受画面制御部（２４ｃ）と、前記廊下灯情報表示部に前記看護情報のうち担送・護送等の救護区分を識別可能に表示するための担送・護送表示制御部（２４ｄ）と、前記廊下灯情報表示部に前記患者情報のうち性別を識別可能に表示するための性別表示制御部（２４ｅ）と、前記廊下灯情報表示部に前記看護情報のうち感染症を識別可能に表示するための感染症表示制御部（２４ｆ）と、前記廊下灯情報表示部に前記看護情報のうち診療科目を識別可能に表示するための診療科目表示制御部（２４ｇ）と、前記廊下灯情報表示部に前記看護情報のうち担当医を識別可能に表示するための担当医表示制御部（２４ｈ）と、前記ナースコール子機に通常呼出とともにトイレ介助呼出、点滴コール呼出、緊急呼出の各信号を送出する呼出部が設けられた場合に前記廊下灯情報表示部に各呼出を識別可能に表示するための呼出種別表示制御部（２４ｉ）と、前記ナースコール親機で患者ごとに看護師のチームが設定された場合に前記廊下灯情報表示部にチーム情報を識別可能に表示するためのチーム表示制御部（２４ｊ）と、前記記憶装置から得られる病院内の喫茶店、売店等からの広告情報を前記廊下灯情報表示部に表示するための広告情報表示制御部（２４ｋ）と、前記患者からの呼出を順次、呼出履歴として記憶させ、前記廊下灯情報表示部に前記呼出履歴を表示するための呼出履歴表示制御部（２４ｌ）と、前記廊下灯情報表示部に前記看護情報のうち検査日、投薬内容、医師の指示等の看護計画を表示するための看護計画表示制御部（２４ｍ）と、前記廊下灯に点滴装置が接続されている場合に前記廊下灯情報表示部に点滴装置から送信される点滴残量情報を表示するための点滴残量表示制御部（２４ｎ）と、送信機（１０）から送信される前記患者の所在地を特定するための信号を受信アンテナ（６７）で受信した場合に前記廊下灯情報表示部に前記患者の所在地を特定する表示をするための患者所在地表示制御部（２４ｏ）と、前記廊下灯情報表示部に患者が在・不在・外泊のいずれかであることを表示するための在・不在・外泊表示制御部（２４ｐ）と、前記廊下灯情報表示部に保守の目安となるバックライトの残り寿命を表示させるためのバックライト寿命表示制御部（２４ｑ）と、前記ナースコール親機の操作によって前記廊下灯情報表示部の明るさを調整するための明るさ調整制御部（２４ｒ）と、プライバシーを保護するために、所定の特殊操作をした場合のみ前記廊下灯情報表示部に前記患者情報又は、前記患者情報並びに前記看護情報を表示させるための特殊操作制御部（２４ｓ）と、火災が発生したときなどの緊急時において前記廊下灯情報表示部に患者情報、担送・護送等の看護情報を表示させるための緊急時表示制御部（２４ｔ）とのうち少なくとも一つを有することを特徴とする請求項１乃至請求項１６何れか１項記載のナースコール装置。
【請求項１９】
前記ナースコール親機は、前記廊下灯情報表示部に表示させる前記患者情報又は、前記患者情報並びに前記看護情報を強調してポップアップ表示するためのポップアップ表示制御部（２４ａ）と、前記廊下灯情報表示部に表示させる前記患者情報又は、前記患者情報並びに前記看護情報をベッドのレイアウトどおりに表示するためのレイアウト制御部（２４ｂ）と、待受時に待受画面として表示する画像を表示・変更するための待受画面制御部（２４ｃ）と、前記廊下灯情報表示部に前記看護情報のうち担送・護送等の救護区分を識別可能に表示するための担送・護送表示制御部（２４ｄ）と、前記廊下灯情報表示部に前記患者情報のうち性別を識別可能に表示するための性別表示制御部（２４ｅ）と、前記廊下灯情報表示部に前記看護情報のうち感染症を識別可能に表示するための感染症表示制御部（２４ｆ）と、前記廊下灯情報表示部に前記看護情報のうち診療科目を識別可能に表示するための診療科目表示制御部（２４ｇ）と、前記廊下灯情報表示部に前記看護情報のうち担当医を識別可能に表示するための担当医表示制御部（２４ｈ）と、前記ナースコール子機に通常呼出とともにトイレ介助呼出、点滴コール呼出、緊急呼出の各信号を送出する呼出部が設けられた場合に前記廊下灯情報表示部に各呼出を識別可能に表示するための呼出種別表示制御部（２４ｉ）と、前記ナースコール親機で患者ごとに看護師のチームが設定された場合に前記廊下灯情報表示部にチーム情報を識別可能に表示するためのチーム表示制御部（２４ｊ）と、前記記憶装置から得られる病院内の喫茶店、売店等からの広告情報を前記廊下灯情報表示部に表示するための広告情報表示制御部（２４ｋ）と、前記患者からの呼出を順次、呼出履歴として記憶させ、前記廊下灯情報表示部に前記呼出履歴を表示するための呼出履歴表示制御部（２４ｌ）と、前記廊下灯情報表示部に前記看護情報のうち検査日、投薬内容、医師の指示等の看護計画を表示するための看護計画表示制御部（２４ｍ）と、前記廊下灯に点滴装置が接続されている場合に前記廊下灯情報表示部に点滴装置から送信される点滴残量情報を表示するための点滴残量表示制御部（２４ｎ）と、送信機（１０）から送信される前記患者の所在地を特定するための信号を受信アンテナ（６７）で受信した場合に前記廊下灯情報表示部に前記患者の所在地を特定する表示をするための患者所在地表示制御部（２４ｏ）と、前記廊下灯情報表示部に患者が在・不在・外泊のいずれかであることを表示するための在・不在・外泊表示制御部（２４ｐ）と、前記廊下灯情報表示部に保守の目安となるバックライトの残り寿命を表示させるためのバックライト寿命表示制御部（２４ｑ）と、前記ナースコール親機の操作によって前記廊下灯情報表示部の明るさを調整するための明るさ調整制御部（２４ｒ）と、プライバシーを保護するために、所定の特殊操作をした場合のみ前記廊下灯情報表示部に前記患者情報又は、前記患者情報並びに前記看護情報を表示させるための特殊操作制御部（２４ｓ）と、火災が発生したときなどの緊急時において前記廊下灯情報表示部に患者情報、担送・護送等の看護情報を表示させるための緊急時表示制御部（２４ｔ）とのうち少なくとも一つを有することを特徴とする請求項１乃至請求項１６何れか１項記載のナースコール装置。
【請求項２０】
前記ナースコール親機は、前記記憶装置から読み出された前記患者情報および看護情報を記憶する記憶装置をもつナースコールパーソナルコンピュータを有し、
前記ナースコールパーソナルコンピュータは、前記廊下灯情報表示部を駆動する情報表示部制御機に接続され、
前記情報表示部制御機は、前記廊下灯情報表示部に表示させる前記患者情報又は、前記患者情報並びに前記看護情報を強調してポップアップ表示するためのポップアップ表示制御部（２４ａ）と、前記廊下灯情報表示部に表示させる前記患者情報又は、前記患者情報並びに前記看護情報をベッドのレイアウトどおりに表示するためのレイアウト制御部（２４ｂ）と、待受時に待受画面として表示する画像を表示・変更するための待受画面制御部（２４ｃ）と、前記廊下灯情報表示部に前記看護情報のうち担送・護送等の救護区分を識別可能に表示するための担送・護送表示制御部（２４ｄ）と、前記廊下灯情報表示部に前記患者情報のうち性別を識別可能に表示するための性別表示制御部（２４ｅ）と、前記廊下灯情報表示部に前記看護情報のうち感染症を識別可能に表示するための感染症表示制御部（２４ｆ）と、前記廊下灯情報表示部に前記看護情報のうち診療科目を識別可能に表示するための診療科目表示制御部（２４ｇ）と、前記廊下灯情報表示部に前記看護情報のうち担当医を識別可能に表示するための担当医表示制御部（２４ｈ）と、前記ナースコール子機に通常呼出とともにトイレ介助呼出、点滴コール呼出、緊急呼出の各信号を送出する呼出部が設けられた場合に前記廊下灯情報表示部に各呼出を識別可能に表示するための呼出種別表示制御部（２４ｉ）と、前記ナースコール親機で患者ごとに看護師のチームが設定された場合に前記廊下灯情報表示部にチーム情報を識別可能に表示するためのチーム表示制御部（２４ｊ）と、前記記憶装置から得られる病院内の喫茶店、売店等からの広告情報を前記廊下灯情報表示部に表示するための広告情報表示制御部（２４ｋ）と、前記患者からの呼出を順次、呼出履歴として記憶させ、前記廊下灯情報表示部に前記呼出履歴を表示するための呼出履歴表示制御部（２４ｌ）と、前記廊下灯情報表示部に前記看護情報のうち検査日、投薬内容、医師の指示等の看護計画を表示するための看護計画表示制御部（２４ｍ）と、前記廊下灯に点滴装置が接続されている場合に前記廊下灯情報表示部に点滴装置から送信される点滴残量情報を表示するための点滴残量表示制御部（２４ｎ）と、送信機（１０）から送信される前記患者の所在地を特定するための信号を受信アンテナ（６７）で受信した場合に前記廊下灯情報表示部に前記患者の所在地を特定する表示をするための患者所在地表示制御部（２４ｏ）と、前記廊下灯情報表示部に患者が在・不在・外泊のいずれかであることを表示するための在・不在・外泊表示制御部（２４ｐ）と、前記廊下灯情報表示部に保守の目安となるバックライトの残り寿命を表示させるためのバックライト寿命表示制御部（２４ｑ）と、前記ナースコール親機の操作によって前記廊下灯情報表示部の明るさを調整するための明るさ調整制御部（２４ｒ）と、プライバシーを保護するために、所定の特殊操作をした場合のみ前記廊下灯情報表示部に前記患者情報又は、前記患者情報並びに前記看護情報を表示させるための特殊操作制御部（２４ｓ）と、火災が発生したときなどの緊急時において前記廊下灯情報表示部に患者情報、担送・護送等の看護情報を表示させるための緊急時表示制御部（２４ｔ）とのうち少なくとも一つを有することを特徴とする請求項１乃至請求項１６何れか１項記載のナースコール装置。
【請求項２１】
前記ナースコール親機は、前記記憶装置から読み出された前記患者情報および看護情報を記憶する記憶装置をもつナースコールパーソナルコンピュータを有し、
前記廊下灯は、前記廊下灯情報表示部に表示させる前記患者情報又は、前記患者情報並びに前記看護情報を強調してポップアップ表示するためのポップアップ表示制御部（２４ａ）と、前記廊下灯情報表示部に表示させる前記患者情報又は、前記患者情報並びに前記看護情報をベッドのレイアウトどおりに表示するためのレイアウト制御部（２４ｂ）と、待受時に待受画面として表示する画像を表示・変更するための待受画面制御部（２４ｃ）と、前記廊下灯情報表示部に前記看護情報のうち担送・護送等の救護区分を識別可能に表示するための担送・護送表示制御部（２４ｄ）と、前記廊下灯情報表示部に前記患者情報のうち性別を識別可能に表示するための性別表示制御部（２４ｅ）と、前記廊下灯情報表示部に前記看護情報のうち感染症を識別可能に表示するための感染症表示制御部（２４ｆ）と、前記廊下灯情報表示部に前記看護情報のうち診療科目を識別可能に表示するための診療科目表示制御部（２４ｇ）と、前記廊下灯情報表示部に前記看護情報のうち担当医を識別可能に表示するための担当医表示制御部（２４ｈ）と、前記ナースコール子機に通常呼出とともにトイレ介助呼出、点滴コール呼出、緊急呼出の各信号を送出する呼出部が設けられた場合に前記廊下灯情報表示部に各呼出を識別可能に表示するための呼出種別表示制御部（２４ｉ）と、前記ナースコール親機で患者ごとに看護師のチームが設定された場合に前記廊下灯情報表示部にチーム情報を識別可能に表示するためのチーム表示制御部（２４ｊ）と、前記記憶装置から得られる病院内の喫茶店、売店等からの広告情報を前記廊下灯情報表示部に表示するための広告情報表示制御部（２４ｋ）と、前記患者からの呼出を順次、呼出履歴として記憶させ、前記廊下灯情報表示部に前記呼出履歴を表示するための呼出履歴表示制御部（２４ｌ）と、前記廊下灯情報表示部に前記看護情報のうち検査日、投薬内容、医師の指示等の看護計画を表示するための看護計画表示制御部（２４ｍ）と、前記廊下灯に点滴装置が接続されている場合に前記廊下灯情報表示部に点滴装置から送信される点滴残量情報を表示するための点滴残量表示制御部（２４ｎ）と、送信機（１０）から送信される前記患者の所在地を特定するための信号を受信アンテナ（６７）で受信した場合に前記廊下灯情報表示部に前記患者の所在地を特定する表示をするための患者所在地表示制御部（２４ｏ）と、前記廊下灯情報表示部に患者が在・不在・外泊のいずれかであることを表示するための在・不在・外泊表示制御部（２４ｐ）と、前記廊下灯情報表示部に保守の目安となるバックライトの残り寿命を表示させるためのバックライト寿命表示制御部（２４ｑ）と、前記ナースコール親機の操作によって前記廊下灯情報表示部の明るさを調整するための明るさ調整制御部（２４ｒ）と、プライバシーを保護するために、所定の特殊操作をした場合のみ前記廊下灯情報表示部に前記患者情報又は、前記患者情報並びに前記看護情報を表示させるための特殊操作制御部（２４ｓ）と、火災が発生したときなどの緊急時において前記廊下灯情報表示部に患者情報、担送・護送等の看護情報を表示させるための緊急時表示制御部（２４ｔ）とのうち少なくとも一つを有することを特徴とする請求項１乃至請求項１６何れか１項記載のナースコール装置。
【請求項２２】
前記ナースコール親機は、前記記憶装置から読み出された前記患者情報および看護情報を記憶する記憶装置をもつナースコールパーソナルコンピュータを有し、
前記ナースコール親機は、前記廊下灯情報表示部に表示させる前記患者情報又は、前記患者情報並びに前記看護情報を強調してポップアップ表示するためのポップアップ表示制御部（２４ａ）と、前記廊下灯情報表示部に表示させる前記患者情報又は、前記患者情報並びに前記看護情報をベッドのレイアウトどおりに表示するためのレイアウト制御部（２４ｂ）と、待受時に待受画面として表示する画像を表示・変更するための待受画面制御部（２４ｃ）と、前記廊下灯情報表示部に前記看護情報のうち担送・護送等の救護区分を識別可能に表示するための担送・護送表示制御部（２４ｄ）と、前記廊下灯情報表示部に前記患者情報のうち性別を識別可能に表示するための性別表示制御部（２４ｅ）と、前記廊下灯情報表示部に前記看護情報のうち感染症を識別可能に表示するための感染症表示制御部（２４ｆ）と、前記廊下灯情報表示部に前記看護情報のうち診療科目を識別可能に表示するための診療科目表示制御部（２４ｇ）と、前記廊下灯情報表示部に前記看護情報のうち担当医を識別可能に表示するための担当医表示制御部（２４ｈ）と、前記ナースコール子機に通常呼出とともにトイレ介助呼出、点滴コール呼出、緊急呼出の各信号を送出する呼出部が設けられた場合に前記廊下灯情報表示部に各呼出を識別可能に表示するための呼出種別表示制御部（２４ｉ）と、前記ナースコール親機で患者ごとに看護師のチームが設定された場合に前記廊下灯情報表示部にチーム情報を識別可能に表示するためのチーム表示制御部（２４ｊ）と、前記記憶装置から得られる病院内の喫茶店、売店等からの広告情報を前記廊下灯情報表示部に表示するための広告情報表示制御部（２４ｋ）と、前記患者からの呼出を順次、呼出履歴として記憶させ、前記廊下灯情報表示部に前記呼出履歴を表示するための呼出履歴表示制御部（２４ｌ）と、前記廊下灯情報表示部に前記看護情報のうち検査日、投薬内容、医師の指示等の看護計画を表示するための看護計画表示制御部（２４ｍ）と、前記廊下灯に点滴装置が接続されている場合に前記廊下灯情報表示部に点滴装置から送信される点滴残量情報を表示するための点滴残量表示制御部（２４ｎ）と、送信機（１０）から送信される前記患者の所在地を特定するための信号を受信アンテナ（６７）で受信した場合に前記廊下灯情報表示部に前記患者の所在地を特定する表示をするための患者所在地表示制御部（２４ｏ）と、前記廊下灯情報表示部に患者が在・不在・外泊のいずれかであることを表示するための在・不在・外泊表示制御部（２４ｐ）と、前記廊下灯情報表示部に保守の目安となるバックライトの残り寿命を表示させるためのバックライト寿命表示制御部（２４ｑ）と、前記ナースコール親機の操作によって前記廊下灯情報表示部の明るさを調整するための明るさ調整制御部（２４ｒ）と、プライバシーを保護するために、所定の特殊操作をした場合のみ前記廊下灯情報表示部に前記患者情報又は、前記患者情報並びに前記看護情報を表示させるための特殊操作制御部（２４ｓ）と、火災が発生したときなどの緊急時において前記廊下灯情報表示部に患者情報、担送・護送等の看護情報を表示させるための緊急時表示制御部（２４ｔ）とのうち少なくとも一つを有することを特徴とする請求項１乃至請求項１６何れか１項記載のナースコール装置。
【請求項２３】
前記廊下灯は、指紋識別部又は暗証番号入力部（６８）を備え、前記指紋識別部又は暗証番号入力部で識別して許可された場合に前記患者情報又は、前記患者情報並びに前記看護情報を前記廊下灯情報表示部に表示させる請求項１乃至請求項２２何れか１項記載のナースコール装置。
【請求項２４】
前記廊下灯は、前記患者の生体情報を監視する生体モニタ（８）が接続され、前記生体モニタにて予め定めた所定値以上の異常状態を検出したときに異常状態である旨をスピーカ（５８）から音声報知、前記廊下灯情報表示部から異常状態表示、呼出表示灯を点灯・点滅報知、前記ナースコール親機への報知の少なくとも一つを行なうことを特徴とする請求項１乃至請求項２３何れか１項記載のナースコール装置。
【請求項２５】
前記ナースコール親機は、前記制御機、前記廊下灯を介してナースコール子機に接続される呼出・通話制御部（３１）を介して、および前記廊下灯情報表示部を駆動する情報表示部制御部（３２）を介して前記廊下灯情報表示部にそれぞれ接続される呼出・通話系統、情報表示系統の２系統で構成されていることを特徴とする請求項１乃至請求項２４何れか１項記載のナースコール装置。
【請求項２６】
前記廊下灯には、患者のベッド毎に設けられ患者のベッドサイドで患者情報又は、前記患者情報並びに前記看護情報を閲覧するための患者情報表示装置（７）が接続されていることを特徴とする請求項１乃至請求項２５何れか１項記載のナースコール装置。
【請求項２７】
前記廊下灯は、設定スイッチ（５７）で設定した内容および／又はプログラムのバージョン情報を表示するメンテナンス画面に移行するためのメンテナンススイッチ（５７ａ、５７ｂ）を有していることを特徴とする請求項１乃至請求項２６何れか１項記載のナースコール装置。
【発明の詳細な説明】
【０００１】
【発明の属する技術分野】
本発明は、ナースコール装置に係わり、特に、廊下灯の情報表示部に患者情報や看護情報などの各種情報を表示することができるナースコール装置に関する。
【０００２】
【従来の技術】
従来から、この種のナースコール装置として、ナースセンター側での操作により、病室の出入口に設置された患者情報板に患者の各種情報を表示させるものが知られている（例えば、特許文献１参照）。
【０００３】
【特許文献１】特開平１０−１９２３４９号公報（段落番号０００８、段落番号００２２、図１〜図４）
【０００４】
【発明が解決しようとする課題】
このナースコール装置においては、患者から呼び出しがあったときに、呼び出しを行なった患者の各種情報が廊下灯の患者情報板に表示されるように構成されている。
【０００５】
しかしながら、このような構成のナースコール装置では、ナースセンター内のデータ伝送装置によって作成された患者の各種情報が伝送路を介して廊下灯の患者情報板に送られ、この情報が当該患者情報板に表示されるように構成されていることから、例えば、ナースコール親機が複数台設置されている場合は、各ナースコール親機から各ナースセンターが管理している患者の各種情報を個々に入力しなければならず、煩雑になるという難点があった。また、廊下灯に、患者情報板に表示させる画像情報を追加・変更する機能が存在しないことから、患者情報板の待受画面の追加・変更や動作プログラムの変更を容易に行なうことができず、さらに、廊下灯の患者情報板に、患者の各種情報が何人にも参照可能に表示されることから、患者のプライバシーが侵害されるおそれがあった。
【０００６】
本発明は、このような難点を解決するためになされたもので、患者の各種情報を編集可能に記憶し、患者の各種情報を記憶装置に送信するオーダリングシステムを用いることにより、廊下灯情報表示部に患者の各種情報を適宜表示させるとともに、廊下灯情報表示部の待受画面の追加・変更や動作プログラムの変更を容易に行なうことができ、さらに、患者のプライバシーの保護を図ることができるナースコール装置を提供することを目的とする。
【０００７】
【課題を解決するための手段】
上記の目的を達成するために、本発明のナースコール装置は、病室のベッド毎に設置され患者が看護師を呼出すための呼出機能、呼出しに応答した看護師と通話するための通話機能を有するナースコール子機と、ナースステーション毎に設置されナースコール子機からの呼出しを報知する呼出報知機能、呼出した患者と通話するための通話機能、患者を呼出すための呼出機能、親機情報表示部を備えた情報表示機能を有するナースコール親機と、病室毎に廊下に設置されナースコール子機の呼出しに応じて呼出表示灯を点灯・点滅する呼出報知機能を有する廊下灯と、ナースコール親機および廊下灯を制御する呼出・通話制御機と、ナースコール親機に表示するための患者名、ベッド番号等の患者情報および担送・護送の救護区分等の看護情報を記憶する記憶装置と、患者情報又は、患者情報並びに看護情報が編集可能に予め記憶され、患者情報又は、患者情報並びに看護情報を記憶装置に送信するオーダリングシステムとを備え、廊下灯は、当該病室に入院している患者に関する患者情報又は、患者情報並びに看護情報を記憶装置から読み出して、表示するための廊下灯情報表示部を有している。
【０００８】
また、本発明のナースコール装置における廊下灯は、ナースコール子機からの呼出がなされたとき、ナースコール子機から呼出しを行なった患者に関する患者情報又は、患者情報並びに看護情報を記憶装置から読み出して、呼出表示灯の点灯・点滅と同時に表示するための廊下灯情報表示部を有している。
【０００９】
また、本発明のナースコール装置における廊下灯は、廊下灯情報表示部を駆動するための人体センサを備えている。
【００１０】
また、本発明のナースコール装置における廊下灯は、廊下灯情報表示部に表示される患者情報又は、患者情報並びに看護情報に関する画面に切り替えるための切替ボタンを備えている。
【００１１】
また、本発明のナースコール装置における廊下灯の廊下灯情報表示部は、タッチパネルにより構成され、タッチパネルの操作によって、廊下灯情報表示部のバックライトを点灯させるとともに、必要な患者情報又は、患者情報並びに看護情報を読み出すことが可能に構成されている。
【００１２】
また、本発明のナースコール装置における廊下灯は、バックライト点灯時から所定時間経過するとバックライトを消灯させるためのタイマを有している。
【００１３】
また、本発明のナースコール装置における廊下灯は、呼出状態を復旧するための復旧ボタンを備えている。
【００１４】
また、本発明のナースコール装置における廊下灯は、各廊下灯を特定するための廊下灯ＩＤを設定するための設定スイッチを有している。
【００１５】
また、本発明のナースコール装置における廊下灯は、モニタボタンの操作により病室内の様子をモニターするためのスピーカを有している。
【００１６】
また、本発明のナースコール装置における廊下灯は、ナースコール親機からの放送又はナースコール親機又はナースコール子機と通話するためのマイクおよびスピーカを有している。
【００１７】
また、本発明のナースコール装置における廊下灯は、ナースコール親機を呼び出す呼出ボタンを有している。
【００１８】
また、本発明のナースコール装置における病室には、少なくとも一台のカメラを設け、廊下灯は、ナースコール子機からの呼出時又はモニタボタンの操作によりカメラからの映像を廊下灯情報表示部に表示させるように構成されている。
【００１９】
また、本発明のナースコール装置における廊下灯には、廊下を監視し、看護師又は見舞い人を撮像するカメラを備え、ナースコール親機の親機情報表示部又は患者のベッド毎に設けられた患者情報表示装置で表示するように構成されている。
【００２０】
また、本発明のナースコール装置における廊下灯は、廊下灯情報表示部に表示させる画像情報を追加・変更するためのメモリカードが挿入可能に構成されている。
【００２１】
また、本発明のナースコール装置における廊下灯は、廊下灯を動作させるためのプログラムを追加・変更するためのメモリカードが挿入可能に構成されている。
【００２２】
また、本発明のナースコール装置における廊下灯は、患者が所持する送信機から送信される患者の所在地を特定するための信号を受信するための受信アンテナを有する。
【００２３】
また、本発明のナースコール装置におけるナースコール親機、廊下灯情報表示部は、廊下灯情報表示部を駆動する情報表示部制御機にそれぞれ接続され、情報表示部制御機は、廊下灯情報表示部に表示させる患者情報又は、患者情報並びに看護情報を強調してポップアップ表示するためのポップアップ表示制御部と、廊下灯情報表示部に表示させる患者情報又は、患者情報並びに看護情報をベッドのレイアウトどおりに表示するためのレイアウト制御部と、待受時に待受画面として表示する画像を表示・変更するための待受画面制御部と、廊下灯情報表示部に看護情報のうち担送・護送等の救護区分を識別可能に表示するための担送・護送表示制御部と、廊下灯情報表示部に患者情報のうち性別を識別可能に表示するための性別表示制御部と、廊下灯情報表示部に看護情報のうち感染症を識別可能に表示するための感染症表示制御部と、廊下灯情報表示部に看護情報のうち診療科目を識別可能に表示するための診療科目表示制御部と、廊下灯情報表示部に看護情報のうち担当医を識別可能に表示するための担当医表示制御部と、ナースコール子機に通常呼出とともにトイレ介助呼出、点滴コール呼出、緊急呼出の各信号を送出する呼出部が設けられた場合に廊下灯情報表示部に各呼出を識別可能に表示するための呼出種別表示制御部と、ナースコール親機で患者ごとに看護師のチームが設定された場合に廊下灯情報表示部にチーム情報を識別可能に表示するためのチーム表示制御部と、記憶装置から得られる病院内の喫茶店、売店等からの広告情報を廊下灯情報表示部に表示するための広告情報表示制御部と、患者からの呼出を順次、呼出履歴として記憶させ、廊下灯情報表示部に呼出履歴を表示するための呼出履歴表示制御部と、廊下灯情報表示部に看護情報のうち検査日、投薬内容、医師の指示等の看護計画を表示するための看護計画表示制御部と、廊下灯に点滴装置が接続されている場合に廊下灯情報表示部に点滴装置から送信される点滴残量情報を表示するための点滴残量表示制御部と、送信機から送信される患者の所在地を特定するための信号を受信アンテナで受信した場合に廊下灯情報表示部に患者の所在地を特定する表示をするための患者所在地表示制御部と、廊下灯情報表示部に患者が在・不在・外泊のいずれかであることを表示するための在・不在・外泊表示制御部と、廊下灯情報表示部に保守の目安となるバックライトの残り寿命を表示させるためのバックライト寿命表示制御部と、ナースコール親機の操作によって廊下灯情報表示部の明るさを調整するための明るさ調整制御部と、プライバシーを保護するために、所定の特殊操作をした場合のみ廊下灯情報表示部に患者情報又は、患者情報並びに看護情報を表示させるための特殊操作制御部と、火災が発生したときなどの緊急時において廊下灯情報表示部に患者情報、担送・護送等の看護情報を表示させるための緊急時表示制御部とのうち少なくとも一つを有する。
【００２４】
また、本発明のナースコール装置における廊下灯は、廊下灯情報表示部に表示させる患者情報又は、患者情報並びに看護情報を強調してポップアップ表示するためのポップアップ表示制御部と、廊下灯情報表示部に表示させる患者情報又は、患者情報並びに看護情報をベッドのレイアウトどおりに表示するためのレイアウト制御部と、待受時に待受画面として表示する画像を表示・変更するための待受画面制御部と、廊下灯情報表示部に看護情報のうち担送・護送等の救護区分を識別可能に表示するための担送・護送表示制御部と、廊下灯情報表示部に患者情報のうち性別を識別可能に表示するための性別表示制御部と、廊下灯情報表示部に看護情報のうち感染症を識別可能に表示するための感染症表示制御部と、廊下灯情報表示部に看護情報のうち診療科目を識別可能に表示するための診療科目表示制御部と、廊下灯情報表示部に看護情報のうち担当医を識別可能に表示するための担当医表示制御部と、ナースコール子機に通常呼出とともにトイレ介助呼出、点滴コール呼出、緊急呼出の各信号を送出する呼出部が設けられた場合に廊下灯情報表示部に各呼出を識別可能に表示するための呼出種別表示制御部と、ナースコール親機で患者ごとに看護師のチームが設定された場合に廊下灯情報表示部にチーム情報を識別可能に表示するためのチーム表示制御部と、記憶装置から得られる病院内の喫茶店、売店等からの広告情報を廊下灯情報表示部に表示するための広告情報表示制御部と、患者からの呼出を順次、呼出履歴として記憶させ、廊下灯情報表示部に呼出履歴を表示するための呼出履歴表示制御部と、廊下灯情報表示部に看護情報のうち検査日、投薬内容、医師の指示等の看護計画を表示するための看護計画表示制御部と、廊下灯に点滴装置が接続されている場合に廊下灯情報表示部に点滴装置から送信される点滴残量情報を表示するための点滴残量表示制御部と、送信機から送信される患者の所在地を特定するための信号を受信アンテナで受信した場合に廊下灯情報表示部に患者の所在地を特定する表示をするための患者所在地表示制御部と、廊下灯情報表示部に患者が在・不在・外泊のいずれかであることを表示するための在・不在・外泊表示制御部と、廊下灯情報表示部に保守の目安となるバックライトの残り寿命を表示させるためのバックライト寿命表示制御部と、ナースコール親機の操作によって廊下灯情報表示部の明るさを調整するための明るさ調整制御部と、プライバシーを保護するために、所定の特殊操作をした場合のみ廊下灯情報表示部に患者情報又は、患者情報並びに看護情報を表示させるための特殊操作制御部と、火災が発生したときなどの緊急時において廊下灯情報表示部に患者情報、担送・護送等の看護情報を表示させるための緊急時表示制御部とのうち少なくとも一つを有する。
【００２５】
また、本発明のナースコール装置におけるナースコール親機は、廊下灯情報表示部に表示させる患者情報又は、患者情報並びに看護情報を強調してポップアップ表示するためのポップアップ表示制御部と、廊下灯情報表示部に表示させる患者情報又は、患者情報並びに看護情報をベッドのレイアウトどおりに表示するためのレイアウト制御部と、待受時に待受画面として表示する画像を表示・変更するための待受画面制御部と、廊下灯情報表示部に看護情報のうち担送・護送等の救護区分を識別可能に表示するための担送・護送表示制御部と、廊下灯情報表示部に患者情報のうち性別を識別可能に表示するための性別表示制御部と、廊下灯情報表示部に看護情報のうち感染症を識別可能に表示するための感染症表示制御部と、廊下灯情報表示部に看護情報のうち診療科目を識別可能に表示するための診療科目表示制御部と、廊下灯情報表示部に看護情報のうち担当医を識別可能に表示するための担当医表示制御部と、ナースコール子機に通常呼出とともにトイレ介助呼出、点滴コール呼出、緊急呼出の各信号を送出する呼出部が設けられた場合に廊下灯情報表示部に各呼出を識別可能に表示するための呼出種別表示制御部と、ナースコール親機で患者ごとに看護師のチームが設定された場合に廊下灯情報表示部にチーム情報を識別可能に表示するためのチーム表示制御部と、記憶装置から得られる病院内の喫茶店、売店等からの広告情報を廊下灯情報表示部に表示するための広告情報表示制御部と、患者からの呼出を順次、呼出履歴として記憶させ、廊下灯情報表示部に呼出履歴を表示するための呼出履歴表示制御部と、廊下灯情報表示部に看護情報のうち検査日、投薬内容、医師の指示等の看護計画を表示するための看護計画表示制御部と、廊下灯に点滴装置が接続されている場合に廊下灯情報表示部に点滴装置から送信される点滴残量情報を表示するための点滴残量表示制御部と、送信機から送信される患者の所在地を特定するための信号を受信アンテナで受信した場合に廊下灯情報表示部に患者の所在地を特定する表示をするための患者所在地表示制御部と、廊下灯情報表示部に患者が在・不在・外泊のいずれかであることを表示するための在・不在・外泊表示制御部と、廊下灯情報表示部に保守の目安となるバックライトの残り寿命を表示させるためのバックライト寿命表示制御部と、ナースコール親機の操作によって廊下灯情報表示部の明るさを調整するための明るさ調整制御部と、プライバシーを保護するために、所定の特殊操作をした場合のみ廊下灯情報表示部に患者情報又は、患者情報並びに看護情報を表示させるための特殊操作制御部と、火災が発生したときなどの緊急時において廊下灯情報表示部に患者情報、担送・護送等の看護情報を表示させるための緊急時表示制御部とのうち少なくとも一つを有する。
【００２６】
また、本発明のナースコール装置におけるナースコール親機は、記憶装置から読み出された患者情報および看護情報を記憶する記憶装置をもつナースコールパーソナルコンピュータを有し、ナースコールパーソナルコンピュータは、廊下灯情報表示部を駆動する情報表示部制御機に接続され、情報表示部制御機は、廊下灯情報表示部に表示させる患者情報又は、患者情報並びに看護情報を強調してポップアップ表示するためのポップアップ表示制御部と、廊下灯情報表示部に表示させる患者情報又は、患者情報並びに看護情報をベッドのレイアウトどおりに表示するためのレイアウト制御部と、待受時に待受画面として表示する画像を表示・変更するための待受画面制御部と、廊下灯情報表示部に看護情報のうち担送・護送等の救護区分を識別可能に表示するための担送・護送表示制御部と、廊下灯情報表示部に患者情報のうち性別を識別可能に表示するための性別表示制御部と、廊下灯情報表示部に看護情報のうち感染症を識別可能に表示するための感染症表示制御部と、廊下灯情報表示部に看護情報のうち診療科目を識別可能に表示するための診療科目表示制御部と、廊下灯情報表示部に看護情報のうち担当医を識別可能に表示するための担当医表示制御部と、ナースコール子機に通常呼出とともにトイレ介助呼出、点滴コール呼出、緊急呼出の各信号を送出する呼出部が設けられた場合に廊下灯情報表示部に各呼出を識別可能に表示するための呼出種別表示制御部と、ナースコール親機で患者ごとに看護師のチームが設定された場合に廊下灯情報表示部にチーム情報を識別可能に表示するためのチーム表示制御部と、記憶装置から得られる病院内の喫茶店、売店等からの広告情報を廊下灯情報表示部に表示するための広告情報表示制御部と、患者からの呼出を順次、呼出履歴として記憶させ、廊下灯情報表示部に呼出履歴を表示するための呼出履歴表示制御部と、廊下灯情報表示部に看護情報のうち検査日、投薬内容、医師の指示等の看護計画を表示するための看護計画表示制御部と、廊下灯に点滴装置が接続されている場合に廊下灯情報表示部に点滴装置から送信される点滴残量情報を表示するための点滴残量表示制御部と、送信機から送信される患者の所在地を特定するための信号を受信アンテナで受信した場合に廊下灯情報表示部に患者の所在地を特定する表示をするための患者所在地表示制御部と、廊下灯情報表示部に患者が在・不在・外泊のいずれかであることを表示するための在・不在・外泊表示制御部と、廊下灯情報表示部に保守の目安となるバックライトの残り寿命を表示させるためのバックライト寿命表示制御部と、ナースコール親機の操作によって廊下灯情報表示部の明るさを調整するための明るさ調整制御部と、プライバシーを保護するために、所定の特殊操作をした場合のみ廊下灯情報表示部に患者情報又は、患者情報並びに看護情報を表示させるための特殊操作制御部と、火災が発生したときなどの緊急時において廊下灯情報表示部に患者情報、担送・護送等の看護情報を表示させるための緊急時表示制御部とのうち少なくとも一つを有する。
【００２７】
また、本発明のナースコール装置におけるナースコール親機は、記憶装置から読み出された患者情報および看護情報を記憶する記憶装置をもつナースコールパーソナルコンピュータを有し、廊下灯は、廊下灯情報表示部に表示させる患者情報又は、患者情報並びに看護情報を強調してポップアップ表示するためのポップアップ表示制御部と，廊下灯情報表示部に表示させる患者情報又は、患者情報並びに看護情報をベッドのレイアウトどおりに表示するためのレイアウト制御部と、待受時に待受画面として表示する画像を表示・変更するための待受画面制御部と、廊下灯情報表示部に看護情報のうち担送・護送等の救護区分を識別可能に表示するための担送・護送表示制御部と、廊下灯情報表示部に患者情報のうち性別を識別可能に表示するための性別表示制御部と、廊下灯情報表示部に看護情報のうち感染症を識別可能に表示するための感染症表示制御部と、廊下灯情報表示部に看護情報のうち診療科目を識別可能に表示するための診療科目表示制御部と、廊下灯情報表示部に看護情報のうち担当医を識別可能に表示するための担当医表示制御部と、ナースコール子機に通常呼出とともにトイレ介助呼出、点滴コール呼出、緊急呼出の各信号を送出する呼出部が設けられた場合に廊下灯情報表示部に各呼出を識別可能に表示するための呼出種別表示制御部と、ナースコール親機で患者ごとに看護師のチームが設定された場合に廊下灯情報表示部にチーム情報を識別可能に表示するためのチーム表示制御部と、記憶装置から得られる病院内の喫茶店、売店等からの広告情報を廊下灯情報表示部に表示するための広告情報表示制御部と、患者からの呼出を順次、呼出履歴として記憶させ、廊下灯情報表示部に呼出履歴を表示するための呼出履歴表示制御部と、廊下灯情報表示部に看護情報のうち検査日、投薬内容、医師の指示等の看護計画を表示するための看護計画表示制御部と、廊下灯に点滴装置が接続されている場合に廊下灯情報表示部に点滴装置から送信される点滴残量情報を表示するための点滴残量表示制御部と、送信機から送信される患者の所在地を特定するための信号を受信アンテナで受信した場合に廊下灯情報表示部に患者の所在地を特定する表示をするための患者所在地表示制御部と、廊下灯情報表示部に患者が在・不在・外泊のいずれかであることを表示するための在・不在・外泊表示制御部と、廊下灯情報表示部に保守の目安となるバックライトの残り寿命を表示させるためのバックライト寿命表示制御部と、ナースコール親機の操作によって廊下灯情報表示部の明るさを調整するための明るさ調整制御部と、プライバシーを保護するために、所定の特殊操作をした場合のみ廊下灯情報表示部に患者情報又は、患者情報並びに看護情報を表示させるための特殊操作制御部と、火災が発生したときなどの緊急時において廊下灯情報表示部に患者情報、担送・護送等の看護情報を表示させるための緊急時表示制御部とのうち少なくとも一つを有する。
【００２８】
また、本発明のナースコール装置におけるナースコール親機は、記憶装置から読み出された患者情報および看護情報を記憶する記憶装置をもつナースコールパーソナルコンピュータを有し、ナースコール親機は、廊下灯情報表示部に表示させる患者情報又は、患者情報並びに看護情報を強調してポップアップ表示するためのポップアップ表示制御部と、廊下灯情報表示部に表示させる患者情報又は、患者情報並びに看護情報をベッドのレイアウトどおりに表示するためのレイアウト制御部と、待受時に待受画面として表示する画像を表示・変更するための待受画面制御部と、廊下灯情報表示部に看護情報のうち担送・護送等の救護区分を識別可能に表示するための担送・護送表示制御部と、廊下灯情報表示部に患者情報のうち性別を識別可能に表示するための性別表示制御部と、廊下灯情報表示部に看護情報のうち感染症を識別可能に表示するための感染症表示制御部と、廊下灯情報表示部に看護情報のうち診療科目を識別可能に表示するための診療科目表示制御部と、廊下灯情報表示部に看護情報のうち担当医を識別可能に表示するための担当医表示制御部と、ナースコール子機に通常呼出とともにトイレ介助呼出、点滴コール呼出、緊急呼出の各信号を送出する呼出部が設けられた場合に廊下灯情報表示部に各呼出を識別可能に表示するための呼出種別表示制御部と、ナースコール親機で患者ごとに看護師のチームが設定された場合に廊下灯情報表示部にチーム情報を識別可能に表示するためのチーム表示制御部と、記憶装置から得られる病院内の喫茶店、売店等からの広告情報を廊下灯情報表示部に表示するための広告情報表示制御部と、患者からの呼出を順次、呼出履歴として記憶させ、廊下灯情報表示部に呼出履歴を表示するための呼出履歴表示制御部と、廊下灯情報表示部に看護情報のうち検査日、投薬内容、医師の指示等の看護計画を表示するための看護計画表示制御部と、廊下灯に点滴装置が接続されている場合に廊下灯情報表示部に点滴装置から送信される点滴残量情報を表示するための点滴残量表示制御部と、送信機から送信される患者の所在地を特定するための信号を受信アンテナで受信した場合に廊下灯情報表示部に患者の所在地を特定する表示をするための患者所在地表示制御部と、廊下灯情報表示部に患者が在・不在・外泊のいずれかであることを表示するための在・不在・外泊表示制御部と、廊下灯情報表示部に保守の目安となるバックライトの残り寿命を表示させるためのバックライト寿命表示制御部と、ナースコール親機の操作によって廊下灯情報表示部の明るさを調整するための明るさ調整制御部と、プライバシーを保護するために、所定の特殊操作をした場合のみ廊下灯情報表示部に患者情報又は、患者情報並びに看護情報を表示させるための特殊操作制御部と、火災が発生したときなどの緊急時において廊下灯情報表示部に患者情報、担送・護送等の看護情報を表示させるための緊急時表示制御部とのうち少なくとも一つを有する。
【００２９】
また、本発明のナースコール装置における廊下灯は、指紋識別部又は暗証番号入力部を備え、指紋識別部又は暗証番号入力部で識別して許可された場合に患者情報又は、患者情報並びに看護情報を廊下灯情報表示部に表示させるように構成されている。
【００３０】
また、本発明のナースコール装置における廊下灯は、患者の生体情報を監視する生体モニタが接続され、生体モニタにて予め定めた所定値以上の異常状態を検出したときに異常状態である旨をスピーカから音声報知、廊下灯情報表示部から異常状態表示、呼出表示灯を点灯・点滅報知、ナースコール親機への報知の少なくとも一つを行なうように構成されている。
【００３１】
また、本発明のナースコール装置におけるナースコール親機は、制御機、廊下灯を介してナースコール子機に接続される呼出・通話制御機を介して、および廊下灯情報表示部を駆動する情報表示部制御機を介して廊下灯情報表示部にそれぞれ接続される呼出・通話系統、情報表示系統の２系統で構成されている。
【００３２】
また、本発明のナースコール装置における廊下灯には、患者のベッド毎に設けられ患者のベッドサイドで患者情報又は、患者情報並びに看護情報を閲覧するための患者情報表示装置が接続されている。
【００３３】
また、本発明のナースコール装置における廊下灯は、設定スイッチで設定した内容および（又は）プログラムのバージョン情報を表示するメンテナンス画面に移行するためのメンテナンススイッチを有している。
【００３４】
本発明のナースコール装置によれば、患者の各種情報を編集可能に記憶し、患者の各種情報を記憶装置に送信するオーダリングシステムを用いることにより、廊下灯情報表示部に患者の各種情報を適宜表示させることができ、また、廊下灯に、廊下灯情報表示部に表示させる画像情報を追加・変更する機能を付加した場合は、廊下灯情報表示部の待受画面の追加・変更や動作プログラムの変更を容易に行なうことができ、さらに、廊下灯に、特殊操作をしたときのみ廊下灯情報表示部に患者の各種情報を表示させる機能を付加した場合は、患者のプライバシーの保護を図ることができる。
【００３５】
【発明の実態の形態】
以下、本発明のナースコール装置の好ましい実施の形態例について、図面を参照して詳述する。ここで、図１は、本発明のナースコール装置を適用したナースコール装置のシステム構成図、図２は、本発明のナースコール装置におけるナースコール親機制御部のブロック図、図３は、本発明のナースコール装置における廊下灯のブロック図を示している。
【００３６】
図１において、本発明のナースコール装置は、例えば、病室番号が「１０１」、「１０２」、…のように予め割り当てられた病室内の各ベッド付近に設置され、呼出機能および通話機能を有するナースコール子機６と、各ナースステーション毎に設置され、呼出報知機能、通話機能、呼出機能および情報表示機能を有するナースコール親機２と、各病室の出入口にそれぞれ設置され、呼出報知機能を有する廊下灯５と、ナースステーション内若しくは共用部に設置され、ナースコール親機２および各廊下灯５を制御するための制御機３と、患者の各種情報を記憶する記憶装置４と、患者の各種情報を編集可能に記憶し、患者の各種情報を記憶装置に送信するオーダリングシステム１と、患者のベッドサイドに設置され、患者名、ベッド番号等の患者情報又は、患者情報並びに担送・護送の救護区分等の看護情報（以下、「患者・看護情報」という。）を患者・看護情報を閲覧するための患者情報表示装置７と、制御機３に接続される無線基地局８および第１〜第３の無線子機９ａ〜９ｃとを備えている。なお、同図においては、説明を簡単にするため、１台のナースコール親機２および廊下灯５並びに２台のナースコール子機６および患者情報表示装置７がそれぞれ図示されている。
【００３７】
ここで、各ナースコール子機６および各患者情報表示装置７は、第１の伝送路Ｌ１を介して対応する廊下灯５に接続され、各廊下灯５には、第２の伝送路Ｌ２を介して制御機３が接続されている。また、制御機３は第３の伝送路Ｌ３を介してナースコール親機２に接続され、このナースコール親機２には第４の伝送路Ｌ４を介してオーダリングシステム１が、第５の伝送路Ｌ５を介して記憶装置４がそれぞれ接続されている。なお、第１の伝送路Ｌ１は第１の呼出・通話伝送路Ｌ１ａおよび第１の情報表示伝送路Ｌ１ｂを、第２の伝送路Ｌ２は第２の呼出・通話伝送路Ｌ２ａおよび第２の情報表示伝送路Ｌ２ｂを、第３の伝送路Ｌ３は第３の呼出・通話伝送路Ｌ３ａおよび第３の情報表示伝送路Ｌ３ｂをそれぞれ備えている。
【００３８】
上記のオーダリングシステム１は、パーソナルコンピュータで構成され、当該パーソナルコンピュータから患者にとって不変な情報、例えば患者名、ベッド番号および患者の年齢などの患者情報が入力され、かかる患者情報は第４の伝送路Ｌ４、ナースコール親機２および第５の伝送路Ｌ５を介して記憶装置４へ伝送される。
【００３９】
各ナースコール親機２はそれぞれ同様の構成とされ、患者の呼出に対して応答し通話するための通話部２１と、待受時には当該ナースステーションが管理する全病室内のベッドのレイアウトどおりに患者名を表示し、ナースコール子機６からの呼出時には呼び出した患者名を強調して表示するとともに、当該患者の患者情報又は患者・看護情報を表示し、さらに呼び出した患者の映像を表示させるためのＬＣＤなどから成る情報表示部２２（以下「親機情報表示部２２」という。）と、ナースステーション内の看護師の映像を撮像するための親機カメラ２３と、ナースコール親機制御部２４とを備えている。
【００４０】
ナースコール親機制御部２４は、図２に示すように、後述の廊下灯情報表示部５２に表示させる患者情報又は患者・看護情報を強調してポップアップ表示するためのポップアップ表示制御部２４ａと、廊下灯情報表示部５２に表示させる患者情報又は患者・看護情報をベッドのレイアウトどおりに表示するためのレイアウト制御部２４ｂと、待受時に待受画面として表示する画像を表示・変更するための待受画面制御部２４ｃと、廊下灯情報表示部５２に看護情報のうち担送・護送等の救護区分を識別可能に表示するための担送・護送表示制御部２４ｄと、廊下灯情報表示部５２に患者情報のうち性別を識別可能に表示するための性別表示制御部２４ｅと、廊下灯情報表示部５２に看護情報のうち感染症を識別可能に表示するための感染症表示制御部２４ｆと、廊下灯情報表示部５２に看護情報のうち診療科目を識別可能に表示するための診療科目表示制御部２４ｇと、廊下灯情報表示部５２に看護情報のうち担当医を識別可能に表示するための担当医表示制御部２４ｈと、ナースコール子機６に通常呼出とともにトイレ介助呼出、点滴コール呼出、緊急呼出の各信号を送出する呼出部が設けられた場合に廊下灯情報表示部５２に各呼出を識別可能に表示するための呼出種別表示制御部２４ｉと、ナースコール親機２で患者ごとに看護師のチームが設定された場合に廊下灯情報表示部５２にチーム情報を識別可能に表示するためのチーム表示制御部２４ｊと、記憶装置４から得られる病院内の喫茶店、売店等からの広告情報を廊下灯情報表示部５２に表示するための広告情報表示制御部２４ｋと、患者からの呼出を順次、呼出履歴として記憶させ、廊下灯情報表示部５２に呼出履歴を表示するための呼出履歴表示制御部２４ｌと、廊下灯情報表示部５２に看護情報のうち検査日、投薬内容、医師の指示等の看護計画を表示するための看護計画表示制御部２４ｍと、廊下灯５に後述の点滴装置９が接続されている場合に廊下灯情報表示部５２に点滴装置９から送信される点滴残量情報を表示するための点滴残量表示制御部２４ｎと、後述の送信機１０から送信される患者の所在地を特定するための信号を後述の受信アンテナ６７で受信した場合に廊下灯情報表示部５２に患者の所在地を特定する表示をするための患者所在地表示制御部２４ｏと、廊下灯情報表示部５２に患者が在・不在・外泊のいずれかであることを表示するための在・不在・外泊表示制御部２４ｐと、廊下灯情報表示部５２に保守の目安となるバックライトの残り寿命を表示させるためのバックライト寿命表示制御部２４ｑと、ナースコール親機２の操作によって廊下灯情報表示部５２の明るさを調整するための明るさ調整制御部２４ｒと、プライバシーを保護するために、所定の特殊操作をした場合のみ廊下灯情報表示部５２に患者情報又は患者・看護情報を表示させるための特殊操作制御部２４ｓと、火災が発生したときなどの緊急時において廊下灯情報表示部５２に患者情報、担送・護送等の看護情報を表示させるための緊急時表示制御部２４ｔとのうち少なくとも一つを備えている。
【００４１】
このような構成のナースコール親機制御部２４を有するナースコール親機２によれば、後述するように、廊下灯情報表示部５２に種々の態様の表示をさせることができる。なお、このような構成のナースコール親機制御部２４は、廊下灯５や情報表示部制御部３２に設けてもよい。
制御機３は、患者との呼出・通話を制御する呼出・通話制御部３１と、廊下灯５を駆動させるための情報表示部制御部３２とを備えており、前者の呼出・通話制御部３１は、第２の呼出・通話伝送路Ｌ２ａを介して廊下灯５に、第３の呼出・通話伝送路Ｌ３ａを介してナースコール親機２にそれぞれ接続されている。また、後者の情報表示部制御部３２は第２の情報表示伝送路Ｌ２ｂを介して廊下灯５に、第３の情報表示伝送路Ｌ３ｂを介してナースコール親機２にそれぞれ接続されている。
【００４２】
各廊下灯５はそれぞれ同様の構成とされ、図３に示すように、ナースコール子機６の呼出しに応じて点灯・点滅する呼出表示灯５１と、待受時には当該病室内のベッドのレイアウトどおりに患者名を表示し、ナースコール子機６からの呼出時には呼び出した患者名を強調して表示するとともに、当該患者の患者情報又は患者・看護情報を表示し、さらに呼び出した患者の映像を表示させるためのＬＣＤなどから成る情報表示部５２（以下「廊下灯情報表示部５２」という。）と、ナースコール親機２やナースコール子機６と通話するためのスピーカ５８（以下「廊下灯スピーカ５８」という。）およびマイク５９（以下「廊下灯マイク５９」という。）とを備えており、この廊下灯５には、廊下灯情報表示部５２を駆動するための人体センサ５３、患者情報や患者・看護情報などの画面に切り替えるための切替ボタン５４、呼出状態を復旧するための復旧ボタン５５、所定の操作をするためのタッチパネル５６、各廊下灯５を特定するための廊下灯ＩＤを設定するための設定スイッチ５７、病室内の様子をモニターするためのモニタボタン６５、廊下を監視し、看護師又は見舞い人を撮像するカメラ６６（以下「廊下灯カメラ６６」という。）、患者が所持する送信機１０から送信される信号を受信するための受信アンテナ６７、看護師や医師の指紋を識別する指紋識別部又は看護師や医師が予め定められた暗証番号を入力する暗証番号入力部６８、ナースコール親機２を呼び出すための呼出ボタン６９、患者からの呼出時に応答するための応答ボタン７０および所定時間（６０秒程度）の経過後にバックライトを消灯させるためのタイマＴＩのうち少なくとも一つを付加することができる。
【００４３】
各ナースコール子機６はそれぞれ同様の構成とされ、通常呼出ボタン６１ａと、トイレ介助呼出ボタン６１ｂと、点滴コール呼出ボタン６１ｃと、緊急呼出ボタン６１ｄと、スピーカ６２（以下「子機スピーカ６２」という。）と、マイク６３（以下「子機マイク６３」という。）とを備えており、各ナースコール子機６は第１の呼出・通話伝送路Ｌ１ａを介して対応する廊下灯５にそれぞれ接続されている。
【００４４】
各患者情報表示装置７はそれぞれ同様の構成とされ、患者を撮像するカメラ７１（以下「患者カメラ７１」という。）と、患者・看護情報を表示させるとともに看護師や見舞い人の映像を表示させるための情報表示部７２（以下「患者情報表示部７２」という。）とを備えており、各患者情報表示装置７は第１の表示伝送路Ｌ１ｂを介して対応する廊下灯５にそれぞれ接続されている。
【００４５】
各病室内には、生体モニタ８、点滴装置９、天井スピーカＴＳ、天井マイクＴＭおよび天井カメラＴＣがそれぞれ設置されており、これらの生体モニタ８、点滴装置９、天井スピーカＴＳ、天井マイクＴＭおよび天井カメラＴＣのうち少なくとも一つは、対応する廊下灯５に接続されている。
【００４６】
次に、このように構成された本発明のナースコール装置の動作について説明する。
【００４７】
まず、オーダリングシステム１から、患者のＩＤ、名前、性別などの患者情報が入力され、かかる患者情報が第４の伝送路Ｌ４を介してナースコール装置２へ伝送される。また、ナースコール装置２から、担送・護送、看護計画、感染症などの看護情報が入力され、当該看護情報が上記の患者情報に付加され、患者・看護情報として第５の伝送路Ｌ５を介して記憶装置４へ伝送され、当該記憶装置４に患者・看護情報が記憶される。さらに、記憶装置４には、必要により、病院内の喫茶店、売店などからの広告情報も併せて記憶される。なお、看護情報はオーダリングシステム１やその他の外部機器（図示せず）から入力することもできる。
【００４８】
このような患者・看護情報は、ナースコール親機制御部２４の制御により記憶装置４から定期的に取り出され、ナースコール親機２から第３の情報表示伝送路Ｌ３ｂ、情報表示部制御部３２および第２の情報表示伝送路Ｌ２ｂを介して各廊下灯５へ、また、各廊下灯５から第１の情報表示伝送路Ｌ１ｂを介して対応する患者情報表示装置７へそれぞれ伝送される（以下「ナースコール親機２、第３の情報表示伝送路Ｌ３ｂ、情報表示部制御部３２、第２の情報表示伝送路Ｌ２ｂ、廊下灯５、第１の情報表示伝送路Ｌ１ｂおよび患者情報表示装置７間の接続系統を「情報表示系統」という。）。
【００４９】
これにより、待受時におけるナースコール親機２の親機情報表示部２２には、当該ナースステーションが管理する全病室、例えば、１０１号室〜１０４号室内の患者名がベッドのレイアウトどおりに表示され、また、各廊下灯５の廊下灯情報表示部５２には、例えば、１０１号室が接続されている廊下灯５（以下「第１の廊下灯５」という。）には、当該１０１号室内の患者名がベッドのレイアウトどおりに表示される。
【００５０】
ここで、病室、例えば１０１号室内のあるナースコール子機６（以下「第１のナースコール子機６」という。）を使用する患者、例えば、山田太郎（以下「第１の患者」という。）がナースステーション内の看護師を呼出すために第１のナースコール子機６に係る通常呼出ボタン６１ａを操作すると、呼出信号が第１の呼出・通話伝送路Ｌ１ａを介して１０１号室に対応する第１の廊下灯５へ伝送される。そして、この呼出信号が第１の廊下灯５で検出されると、第１の廊下灯５に係る呼出表示灯５１（以下「第１の呼出表示灯５１」という。）が点灯・点滅するとともに、第１の廊下灯５から第１のナースコール子機６の子機番号および病室番号を含有する呼出信号（以下「第１の呼出信号」という。）が出力され、この第１の呼出信号が第２の呼出・通話伝送路Ｌ２ａ、呼出・通話制御部３１および第３の呼出・通話伝送路Ｌ３ａを介してナースコール親機２に伝送される（以下、ナースコール子機６、第１の呼出・通話伝送路Ｌ１ａ、第１の廊下灯５、第２の呼出・通話伝送路Ｌ２ａ、呼出・通話制御部３１、第３の呼出・通話伝送路Ｌ３ａおよびナースコール親機２間の接続系統を「呼出・通話系統」という。）。
【００５１】
そして、第１の呼出信号がナースコール親機２で検出されると、親機情報表示部２２の画面上に予め点灯表示されている全病室の患者名のうち、第１の患者名を含む１０１号室内の患者名がベッドのレイアウトどおりに強調して表示されるとともに、親機スピーカ（不図示）から呼出音が放音される。これにより、ナースステーション内の看護師に対して呼出報知が行なわれる。また、これとともに、情報表示系統からの信号により、第１の廊下灯５に係る廊下灯情報表示部５２（以下「第１の廊下灯情報表示部５２」という。）のバックライトが駆動されるとともに、第１の廊下灯情報表示部５２の画面上に予め点灯表示されている第１の患者名である「山田太郎」が強調して表示される。これにより、１０１号室の付近を巡回する看護師（以下「第１の看護師」という。）に対して呼出表示が行なわれる。
【００５２】
ここで、ナースステーションにおいて、第１の患者からの呼出しを確認した看護師が通話部２１としてのハンドセットを取上げて呼出応答すると、呼出・通話系統を介してナースコール親機２の有する通話機能と第１のナースコール子機６の通話機能との間に通話路が形成される。
【００５３】
また、これとともに、親機カメラ２３および第１の患者に係る患者カメラ７１（以下「第１の患者カメラ７１」という。）が撮像可能な状態に制御され、第１の患者の映像が第１の患者カメラ７１で、ナースステーション内の看護師の映像が親機カメラ２３でそれぞれ撮像される。そして、第１の患者カメラ７１で撮像された第１の映像信号は情報表示系統を介して親機情報表示部２２へ伝送される。これにより、親機情報表示部２２の画面上に第１の患者の映像が第１の患者名とともに併せて表示される。また、親機カメラ２３で撮像された第２の映像信号は情報表示系統を介して第１の患者に係る患者情報表示部７２（以下「第１の患者情報表示部７２」という。）へ伝送され、第１の患者情報表示部７２の画面上に応答したナースステーション内の看護師の映像が表示される。
【００５４】
これにより、ナースステーション内の看護師と第１の患者は、互いに相手の様子を確認しながら、ナースコール親機２の通話部２１並びに子機スピーカ６２（以下「第１の子機スピーカ６２」という。）および子機マイク６３（以下「第１の子機マイク６３」という。）を用いて通話を行なうことができる。
【００５５】
ここで、ナースステーション内の看護師が呼出応答する前に、第１の廊下灯５の付近を巡回する看護師（以下「第１の看護師」という。）が第１の呼出表示灯５１が点灯・点滅しているのを確認した場合は、第１の看護師は第１の廊下灯に係る復旧ボタン５５（以下「第１の復旧ボタン５５」という。）を操作して第１の患者（山田太郎）のベッドへ迅速に駆けつけることができる。なお、第１の復旧ボタン５５を操作すると、第１の廊下灯情報表示部５２の画面が呼出状態から待受け状態に戻る。
【００５６】
次に、本発明におけるナースコール装置の付加機能について説明する。
【００５７】
第１に、廊下灯５の廊下灯情報表示部５２がタッチパネル５６により構成されている場合は、タッチパネル５６の操作によって、廊下灯情報表示部５２のバックライトが点灯される。なお、廊下灯情報表示部５２のバックライトは待受け状態では駆動されないが、呼出時以外では次の場合に駆動される。すなわち、廊下灯５に人体センサ５３が設けられている場合は、人体センサ５３が人体を感知したときにバックライトが駆動される。
【００５８】
第２に、廊下灯５にタイマＴＩが設けられている場合は、廊下灯情報表示部５２のバックライトが点灯するとタイマＴＩが作動し、所定時間（６０秒程度）経過すると消灯する。
【００５９】
第３に、廊下灯情報表示部５２には、待受け状態においては、例えば図４（ａ）に示すように、動物などのキャラクターを表示させて、看護師や医師以外には患者情報又は患者・看護情報を見せないように設定することもできる。
【００６０】
第４に、廊下灯５に切替ボタン５４が設けられている場合は、切替ボタン５４の操作や上記のタッチパネル５６の操作により、廊下灯情報表示部５２に患者情報又は患者・看護情報を表示させることができ、また、廊下灯５について特定の操作を行なった場合、例えば切替ボタン５４の連続押し操作や長押し操作を行なった場合に、例えば重病人の患者情報又は患者・看護情報を表示するようにして、患者のプライバシーの保護を図ることもできる。
【００６１】
第５に、廊下灯５に指紋識別部又は暗証番号入力部６８が設けられている場合は、予め登録された看護師や医師の指紋情報が指紋識別部６８で検出された場合、若しくは予め定められた暗証番号が暗証番号入力部６８に入力された場合は、廊下灯情報表示部５２に患者情報又は患者・看護情報を表示させることができる。
【００６２】
第６に、病室に設けられた天井スピーカＴＳ、天井マイクＴＭおよび天井カメラＴＣが第１の廊下灯５に接続されている場合は、廊下灯付近を巡回する看護師などが廊下灯５のモニタボタン６５を操作すると、天井スピーカＴＳおよび天井カメラＴＣが駆動する。これにより、病室内の様子がモニターされ、当該廊下灯５に係る廊下灯スピーカ５８から当該病室内の様子を聴取することができるとともに、当該廊下灯５に係る廊下灯情報表示部５２に当該病室内の映像を表示させることができる。
【００６３】
第７に、例えば第１の患者情報表示装置７が第１の廊下灯５に接続されている場合は、第１の患者からの呼出時に例えば第１の看護師が第１の廊下灯５に係る応答ボタン７０を操作すると、第１の患者カメラ７１で撮像された第１の患者の映像信号が第１の情報表示伝送路Ｌ１ｂを介して第１の廊下灯５へ伝送される。これにより、第１の患者の映像が第１の廊下灯情報表示部５２に映し出される。また、これとともに、第１の廊下灯５に係る廊下灯カメラ６６で撮像された第１の看護師の映像信号が第１の情報表示伝送路Ｌ１ｂを介して第１の患者情報表示装置７へ伝送され、第１の看護師の映像が第１の患者情報表示部７２に映し出される。これにより、第１の患者と第１の看護師は、互いに相手の様子を確認しながら、第１の患者に係る子機スピーカ６２および子機マイク６３並びに第１の廊下灯５に係る廊下灯スピーカ５８（以下「第１の廊下灯スピーカ５８」という。）および廊下灯マイク５９（以下「第１の廊下灯マイク５９」という。）を用いて通話を行なうことができる。さらに、看護師や医師などが所定の操作をすることにより、患者情報表示部７２に例えば図４（ｂ）に示すような患者・看護情報を表示させることができる。
【００６４】
第８に、例えば第１の看護師が第１の廊下灯５に係る呼出ボタン６９を操作すると、第１の廊下灯５から呼出信号が出力され、この呼出信号が呼出・通話系統を介してナースコール親機２へ伝送される。これにより、ナースステーション内の看護師に第１の廊下灯５から呼出が行なわれていることが報知され、ナースステーション内の看護師と第１の看護師は、互いに相手の様子を確認しながら、ナースコール親機２の通話部２１並びに第１の廊下灯マイク５９および第１の廊下灯スピーカ５８を用いて通話を行なうことができる。
【００６５】
第９に、ナースステーション内の看護師がナースコール親機２のテンキー（不図示）で、一斉放送ボタン（不図示）を操作すると、ナースコール親機２から一斉放送信号が出力され、この一斉放送信号が呼出・通話系統を介して各廊下灯５のスピーカ５８へそれぞれ伝送される。ここで、ナースステーション内の看護師が通話ボタン（不図示）を操作すると、呼出・通話系統を介してナースコール親機２の有する通話機能と廊下灯５の有する通話機能との間に通話路が形成される。これにより、ナースステーション内の看護師は各廊下灯５に対して一斉放送することができるとともに、ナースコール親機２と各廊下灯５間で通話することができる。
【００６６】
第１０に、廊下灯５にメモリカード（不図示）の挿入部（不図示）が設けられている場合は、メモリカードを挿入することにより、廊下灯情報表示部５２の待受け画面であるキャラクターなどを追加・変更したり、廊下灯５の動作プログラムを書換、変更することができる。
【００６７】
第１１に、廊下灯５に受信アンテナ６７が設けられ、例えば第１の患者に無線の送信機１０を携帯させた場合は、送信機１０から送信される信号が受信アンテナ６７で受信され、これにより、第１の患者の所在地を特定することができる。
【００６８】
第１２に、例えば第１の廊下灯５に第１の患者の生体情報を監視する生体モニタ８が接続されている場合は、生体モニタ８で予め定めた所定値以上の異常状態が検出されると、第１の廊下灯スピーカ５８から異常状態である旨の音声が報知される。この場合、必要により、第１の廊下灯情報表示部５２に第１の患者に異常状態が生じている旨を表示させることができ、若しくは第１の呼出表示灯５１を点灯・点滅させて、第１の患者に異常状態が生じている旨を報知することができる。また、第１の廊下灯５から、異常発生信号を出力させ、この異常発生信号を呼出・通話系統を介してナースコール親機２に伝送することもできる。
【００６９】
第１３に、ナースコール装置のシステムが、呼出・通話系統と情報表示系統の２系統とで構成されている場合は、例えば、２系統の何れか一方の系統（例えば情報表示系統）が故障した場合、他方の系統（例えば通話系統）を利用することができる。
【００７０】
第１４に、廊下灯５に設定スイッチ５７が設けられ、当該設定スイッチ５７が第１、第２のメンテナンススイッチ５７ａ、５７ｂを備えている場合は、次のようにして、廊下灯情報表示部５２に廊下灯５の設定内容および（又は）プログラムのバージョン情報を表示させることができる。
【００７１】
先ず、待受け状態においては、廊下灯情報表示部５２には、図５（ａ）に示すように、待受表示画面が現れている。次に、第１のメンテナンススイッチ５７ａをオンにすると、図５（ｂ）に示すように、廊下灯情報表示部５２の表示画面が待受表示画面から第１のメンテナンス画面に切替えられる。ここで、第１のメンテナンス画面においては、自機の各種設定スイッチで設定された内容および（又は）プログラムのバージョン情報が表示される。なお、第１のメンテナンス画面が表示されてから３分程度経過すると第１のメンテナンス画面が待受表示画面に切替えられる。次に、第２のメンテナンススイッチ５７ｂをオンにすると、図５（ｃ）に示すように、廊下灯情報表示部５２が待受表示画面から第２のメンテナンス画面に切替えられる。廊下灯情報表示部５２の表示画面が第２のメンテナンス画面に切替えられた場合は、以下の方法で自機の確認を行うことができる。
【００７２】
第１に、ＬＣＤ表示テストにおいて、ＬＣＤ全画面を黒、白、カラーパターンにする。第２に、ＬＣＤバックライトテストにおいて、ＬＣＤ画面を白表示させ、バックライトの輝度を「暗」、「中」、「明」と切替える。なお、輝度の切替え時にＬＣＤ画面に「暗」、「中」、「明」と表示させる。第３に、ＲＡＭテストにおいて、自機の全ＲＡＭエリアに対しデータの書き込みおよび読み込みを行い判定結果をＬＣＤ画面にする。第４に、電源電圧を表示する。第５に、自機のＩＤ番号（病室番号）を表示する。第５に、スイッチテストにおいて、復旧スイッチおよび次画面スイッチが押されている間、ＬＣＤ画面に押されたスイッチ名を表示する。なお、第２のメンテナンス画面が表示されてから３分程度経過すると第２のメンテナンス画面が待受表示画面に切替えられる。
【００７３】
なお、前述の実施例においては、記憶装置４をナースコール親機２に接続した場合について説明しているが、本発明はこれに限定されず、例えば、ナースコール親機２、制御機３又は廊下灯５に記憶装置４を内蔵させてもよい。
【００７４】
【発明の効果】
以上の説明から明らかなように、本発明のナースコール装置によれば、患者の各種情報を編集可能に記憶し、患者の各種情報を記憶装置に送信するオーダリングシステムを用いることにより、廊下灯情報表示部に患者の各種情報を適宜表示させることができ、また、廊下灯に、廊下灯情報表示部に表示させる画像情報を追加・変更する機能を付加した場合は、廊下灯情報表示部の待受画面の追加・変更や動作プログラムの変更を容易に行なうことができ、さらに、廊下灯に、特殊操作をしたときのみ廊下灯情報表示部に患者の各種情報を表示させる機能を付加した場合は、患者のプライバシーの保護を図ることができる。
【図面の簡単な説明】
【図１】本発明のナースコール装置の一実施例を示すシステム構成図。
【図２】本発明のナースコール装置におけるナースコール親機制御部のブロック図。
【図３】本発明のナースコール装置における廊下灯のブロック図。
【図４】本発明のナースコール装置における廊下灯情報表示部や患者情報表示部の表示画面の一例を示す図で、図４（ａ）は待受時における廊下灯情報表示部の表示画面の一例を示す図、図４（ｂ）は、所定の操作をした場合における患者情報表示部の表示画面の一例を示す図。
【図５】本発明のナースコール装置における廊下灯情報表示部の表示画面をメンテナンス画面に移行させるための説明図で、図５（ａ）は、待受時における廊下灯情報表示部の表示画面の一例を示す図、図５（ｂ）は、第１のメンテナンス画面の一例を示す図、図５（ｃ）は、第２のメンテナンス画面の一例を示す図。
【符号の説明】
１…オーダリングシステム
２…ナースコール親機
２２…親機情報表示部
２４…ナースコール親機制御部
２４ａ…ポップアップ表示制御部
２４ｂ…レイアウト制御部
２４ｃ…待受画面制御部
２４ｄ…担送・護送表示制御部
２４ｅ…性別表示制御部
２４ｆ…感染症表示制御部
２４ｇ…診療科目表示制御部
２４ｈ…担当医表示制御部
２４ｉ…呼出種別表示制御部
２４ｊ…チーム表示制御部
２４ｋ…広告情報表示制御部
２４ｌ…呼出履歴表示制御部
２４ｍ…看護計画表示制御部
２４ｎ…点滴残量表示制御部
２４ｏ…患者所在地表示制御部
２４ｐ…在・不在・外泊表示制御部
２４ｑ…バックライト寿命表示制御部
２４ｒ…明るさ調整制御部
２４ｓ…特殊操作制御部
２４ｔ…緊急時表示制御部
３…制御機
３１…呼出・通話制御部
３２…情報表示部制御部
４…記憶装置
５…廊下灯
５１…呼出表示灯
５２…廊下灯情報表示部
５３…人体センサ
５４…切替ボタン
５５…復旧ボタン
５６…タッチパネル
５７…設定スイッチ
５７ａ…メンテナンススイッチ（第１のメンテナンススイッチ）
５７ｂ…メンテナンススイッチ（第２のメンテナンススイッチ）
５８…スピーカ（廊下灯スピーカ）
５９…マイク（廊下灯マイク）
６５…モニタボタン
６６…カメラ（廊下灯カメラ）
６７…受信アンテナ
６８…指紋識別部又は暗証番号入力部
６９…呼出ボタン
６…ナースコール子機
７…患者情報表示装置
７１…カメラ（患者カメラ）
８…生体モニタ
ＴＭ…タイマ
１０…送信機
【図１】
2004104691.tif 000003
【図２】
2004104691.tif 000004
【図３】
2004104691.tif 000005
【図４】
2004104691.tif 000006
【図５】
2004104691.tif 000007